(57)【要約】【課題】  堅牢であり、且つ組み立てにあたっては工具が不要な上、その作業が容易であり、また袋の脱着のし易さ、充填時の作業性の良さという多くの要求条件を満たすようにした、資材袋の袋詰め作業用スタンド装置を開発することを課題とした。【解決手段】  作業場所に定置するための支柱設置手段１を具えた支柱本体２と、支柱本体２に掛止組付自在の袋保持体３とを具え、前記支柱本体２は、このものにおける支柱軸２０の外周部に平面視で放射方向に分散配置された複数のアーム受片２２から成るアーム受部２１を具え、一方、前記袋保持体３は、ほぼ水平配置される枠状の袋掛けアーム３０と、この袋掛けアーム３０と一体であって、前記支柱本体２におけるアーム受片２２に掛止組付される組付片３２とを具えた構成を採る。【選択図】図１
2014088186.tif 000002
【特許請求の範囲】
【請求項１】
作業場所に定置するための支柱設置手段を具えた支柱本体と、
支柱本体に掛止組付自在の袋保持体とを具え、
前記支柱本体は、このものにおける支柱軸の外周部に平面視で放射方向に分散配置された複数のアーム受片から成るアーム受部を具え、
一方、前記袋保持体は、ほぼ水平配置される枠状の袋掛けアームと、この袋掛けアームと一体であって、前記支柱本体におけるアーム受片に掛止組付される組付片とを具え、
前記支柱本体と袋保持体との組付構造は、前記アーム受片に対し組付片を上方から差し込んで組み付ける上方差込構造であることを特徴とする資材袋の袋詰め作業用スタンド装置。
【請求項２】
前記支柱本体と袋保持体との組付構造は、アーム受片と組付片との間において姿勢維持構造を具えていることを特徴とする請求項１記載の資材袋の袋詰め作業用スタンド装置。
【請求項３】
前記組付構造におけるアーム受片と、組付片との間において、組み付けるべき位置を視覚的に認識できるような組付支援手段が具えられていることを特徴とする請求項１または２記載の資材袋の袋詰め作業用スタンド装置。
【請求項４】
前記上方差込構造は、アーム受片をスリーブ状部材により形成し、組付片はこのアーム受片に内嵌めされる管状部材であり、前記アーム受片の上方から組付片が挿入されるものであることを特徴とする請求項１、２または３記載の資材袋の袋詰め作業用スタンド装置。
【請求項５】
前記姿勢維持構造は、アーム受片をスリーブ状部材とし、一方組付片をアーム受片に内嵌めされる管状部材で構成するとともに、それらアーム受片と組付片とは角パイプにより構成していることを特徴とする請求項２、３または４記載の資材袋の袋詰め作業用スタンド装置。
【請求項６】
前記組付支援手段は、少なくともアーム受片と袋保持体における組付片とにおいて、相互に組み付けられるべきものを同一の色分けにより識別できるように構成したことを特徴とする請求項３、４または５記載の資材袋の袋詰め作業用スタンド装置。
【請求項７】
前記支柱本体を作業場所に定置するための支柱設置手段は、接地盤とそのほぼ中央に立ち上がるように形成した支柱受杆を具えた台座本体であり、この支柱受杆に対し支柱本体を上方から嵌め込むようにしたことを特徴とする請求項１、２、３、４、５または６記載の資材袋の袋詰め作業用スタンド装置。
【請求項８】
前記支柱設置手段は、支柱本体を中空の管状部材で構成し、この管状部材の中に打ち込む設置杭とするものであり、この設置杭の下方先端を設置個所に杭打ち状に固定するものであることを特徴とする請求項１、２、３、４、５、６または７記載の資材袋の袋詰め作業用スタンド装置。
【請求項９】
前記支柱設置手段を台座本体により構成した場合において、台座本体と、支柱本体との間には緩連結する抜け止め索を設けたことを特徴とする７記載の資材袋の袋詰め作業用スタンド装置。
【請求項１０】
前記アーム受部は、１段または多段に配置されるものであることを特徴とする請求項１、２、３、４、５、６、７、８または９記載の資材袋の袋詰め作業用スタンド装置。
【請求項１１】
前記アーム受片は、アーム受部ごとに段差状に組み合わされていることを特徴とする請求項１、２、３、４、５、６、７、８、９または１０記載の資材袋の袋詰め作業用スタンド装置。
【請求項１２】
前記袋保持体は、複数の袋掛けアームを具えていることを特徴とする請求項１、２、３、４、５、６、７、８、９、１０または１１記載の資材袋の袋詰め作業用スタンド装置。
【請求項１３】
前記袋保持体における袋掛けアームは、平面視コ字状であって、外側が開放された形状であることを特徴とする請求項１、２、３、４、５、６、７、８、９、１０、１１または１２記載の資材袋の袋詰め作業用スタンド装置。
【請求項１４】
前記袋掛けアームに保持された資材袋は、その開口幅を一般の作業用スコップの幅より大きくなるように支持されていること特徴とする請求項１３記載の資材袋の袋詰め作業用スタンド装置。
【請求項１５】
前記支柱本体は、その上端にユティリティーボックスを設けたことを特徴とする請求項１、２、３、４、５、６、７、８、９、１０、１１、１２、１３または１４記載の資材袋の袋詰め作業用スタンド装置。
【発明の詳細な説明】
【技術分野】
【０００１】
本発明は、例えば土嚢用の袋、農産品の収穫袋、廃材の収納袋等の資材袋を開口状態に支持し、この資材袋へ収納資材を充填する作業を行い易くするための、資材袋の袋詰め作業用スタンド装置に関するものである。
【背景技術】
【０００２】
例えば、水害時における溢水阻止のための土嚢は、通常平折り保管されている資材袋を持ち出し、必要になった都度、現場近くで土砂を充填するなどして土嚢を完成させている。当然ながらこの作業は極めて緊急を要するものであり、このための土嚢用の空の資材袋を開口状態に保持し、土砂の詰め込みが迅速にできるよう、種々の保持スタンド装置が提案されている（特開２０００−４３８３１「土のう袋の保持スタンド」、特開２００２−１７９２０１「ゴミ袋及び、そのゴミ袋の掛止用スタンド」）。しかしながら現実の作業の多くは、荒天の悪条件下で行われ、且つ作業負担も大きく、しかも心理的にも作業が急かされることから、いわば手荒な作業となることは避けられない。このため資材袋を保持するスタンド装置にしても迅速に組み立てられ、且つこのものへの資材袋の着脱が容易に行うことができ、更には作業時における迅速且つ安定した作業ができるような強靭な袋の保持状態であることが求められている。このような要求条件を考慮した上で従来装置を見ると、多くは平常時の格納性を過剰に考慮している結果、迅速な組立形態や堅牢な構造という点で必ずしも充分要請に応え切れていない。
【０００３】
具体的にはスタンド装置一基ごとに支持できる袋体は一袋のものが多く、たとえ二人がかりで作業したとしても、袋を脱着している時間は実充填作業ができず、作業能率を上げるにしても限界があった。加えて支持できる袋体の仕様が単一仕様に限定されがちで、一度に数種類の処理物を分別する必要のある清掃時や農作物の収穫作業時、剪定した植栽処理時等における作業効率が充分上げられないという問題があった
また資材袋を開口状態に掛け止めさせるにあたっては、その確実性を意図し、閉じ紐を過剰に掛け回す手法を採っており、その結果、この作業に多くの手間を要するものとなっている。
また資材袋の開口形状も扱い易い充分な開口幅が確保されず、充填作業が行いづらい傾向があった。
更にまた充填材を資材袋に満たした後、これをスタンド装置から取り外す場合、多くはこれを上方に引き上げるものであり、多大な労力を要していた。
【先行技術文献】
【特許文献】
【０００４】
【特許文献１】特開特開２０００−４３８３１公報
【特許文献２】特開２００２−１７９２０１公報
【発明の概要】
【発明が解決しようとする課題】
【０００５】
本発明は、このような従来手法を考慮してなされたものであって、まず堅牢であり、且つ組み立てにあたっては工具が不要な上、その作業が容易であり、また袋の脱着のし易さ、充填時の作業性の良さという多くの要求条件を満たすようにした、資材袋の袋詰め作業用スタンド装置を提案しようとするものである。
【課題を解決するための手段】
【０００６】
まず請求項１記載の資材袋の袋詰め作業用スタンド装置は、作業場所に定置するための支柱設置手段を具えた支柱本体と、
支柱本体に掛止組付自在の袋保持体とを具え、
前記支柱本体は、このものにおける支柱軸の外周部に平面視で放射方向に分散配置された複数のアーム受片から成るアーム受部を具え、
一方、前記袋保持体は、ほぼ水平配置される枠状の袋掛けアームと、この袋掛けアームと一体であって、前記支柱本体におけるアーム受片に掛止組付される組付片とを具え、
前記支柱本体と袋保持体との組付構造は、前記アーム受片に対し組付片を上方から差し込んで組み付ける上方差込構造であることを特徴として成るものである。
【０００７】
また請求項２記載の資材袋の袋詰め作業用スタンド装置は、前記請求項１記載の要件にに加え、前記支柱本体と袋保持体との組付構造については、アーム受片と組付片との間において姿勢維持構造を具えていることを特徴として成るものである。
【０００８】
更にまた請求項３記載の資材袋の袋詰め作業用スタンド装置は、前記請求項１または２記載の要件に加え、前記組付構造におけるアーム受片と、組付片との間において、組み付けるべき位置を視覚的に認識できるような組付支援手段が具えられていることを特徴として成るものである。
【０００９】
更にまた請求項４記載の資材袋の袋詰め作業用スタンド装置は、前記請求項１、２または３記載の要件に加え、前記上方差込構造については、アーム受片をスリーブ状部材により形成し、組付片はこのアーム受片に内嵌めされる管状部材であり、前記アーム受片の上方から組付片が挿入されるものであることを特徴として成るものである。
【００１０】
更にまた請求項５記載の資材袋の袋詰め作業用スタンド装置は、前記請求項２、３または４記載の要件に加え、前記姿勢維持構造については、アーム受片をスリーブ状部材とし、一方組付片をアーム受片に内嵌めされる管状部材で構成するとともに、それらアーム受片と組付片とは角パイプにより構成していることを特徴として成るものである。
【００１１】
更にまた請求項６記載の資材袋の袋詰め作業用スタンド装置は、前記請求項３、４または５記載の要件に加え、前記組付支援手段については、少なくともアーム受片と袋保持体における組付片とにおいて、相互に組み付けられるべきものを同一の色分けにより識別できるように構成したことを特徴として成るものである。
【００１２】
更にまた請求項７記載の資材袋の袋詰め作業用スタンド装置は、前記請求項１、２、３、４、５または６記載の要件に加え、前記支柱本体を作業場所に定置するための支柱設置手段については、接地盤とそのほぼ中央に立ち上がるように形成した支柱受杆を具えた台座本体であり、この支柱受杆に対し支柱本体を上方から嵌め込むようにしたことを特徴として成るものである。
【００１３】
更にまた請求項８記載の資材袋の袋詰め作業用スタンド装置は、前記請求項１、２、３、４、５、６または７記載の要件に加え、前記支柱設置手段については、支柱本体を中空の管状部材で構成し、この管状部材の中に打ち込む設置杭とするものであり、この設置杭の下方先端を設置個所に杭打ち状に固定するものであることを特徴として成るものである。
【００１４】
更にまた請求項９記載の資材袋の袋詰め作業用スタンド装置は、前記請求項７記載の要件に加え、前記支柱設置手段を台座本体により構成した場合において、台座本体と、支柱本体との間には緩連結する抜け止め索を設けたことを特徴として成るものである。
【００１５】
更にまた請求項１０記載の資材袋の袋詰め作業用スタンド装置は、前記請求項１、２、３、４、５、６、７、８または９記載の要件に加え、前記アーム受部については、１段または多段に配置されるものであることを特徴として成るものである。
【００１６】
更にまた請求項１１記載の資材袋の袋詰め作業用スタンド装置は、前記請求項１、２、３、４、５、６、７、８、９または１０記載の要件に加え、前記アーム受片については、アーム受部ごとに段差状に組み合わされていることを特徴として成るものである。
【００１７】
更にまた請求項１２記載の資材袋の袋詰め作業用スタンド装置は、前記請求項１、２、３、４、５、６、７、８、９、１０または１１記載の要件に加え、前記袋保持体については、複数の袋掛けアームを具えていることを特徴として成るものである。
【００１８】
更にまた請求項１３記載の資材袋の袋詰め作業用スタンド装置は、前記請求項１、２、３、４、５、６、７、８、９、１０、１１または１２記載の要件に加え、前記袋保持体における袋掛けアームについては、平面視コ字状であって、外側が開放された形状であることを特徴として成るものである。
【００１９】
更にまた請求項１４記載の資材袋の袋詰め作業用スタンド装置は、前記請求項１３記載の要件に加え、前記袋掛けアームに保持された資材袋については、その開口幅を一般の作業用スコップの幅より大きくなるように支持されていること特徴として成るものである。
【００２０】
更にまた請求項１５記載の資材袋の袋詰め作業用スタンド装置は、前記請求項１、２、３、４、５、６、７、８、９、１０、１１、１２、１３または１４記載の要件に加え、前記支柱本体については、その上端にユティリティーボックスを設けたことを特徴として成るものである。
【発明の効果】
【００２１】
まず請求項１記載の発明によれば、支柱本体と袋保持体とは上方差込構造を採ることから、作業場所に定置された支柱本体に対し極めて容易且つ確実に組み立てができる。また支柱本体からは支柱保持体が放射状に複数基配されるようになり、一基の袋詰め作業用スタンド装置によって、それを取り囲むように複数人での作業が行える。
【００２２】
また請求項２または５記載の発明によれば、支柱本体に対し組み付けられた袋保持体は、その組み付けられた向きを確実に維持するものであり、作業中にここに掛止された資材袋が移動するようなことがなく、確実な作業が行い得る。
【００２３】
更にまた請求項３または６記載の発明によれば、支柱本体に対し袋保持体を組み付けるにあたり、例えば色分け等を手がかりに同色の部位を組み合わせることにより、間違いなく支柱本体に対する袋保持体の組付位置を看取でき、袋詰め作業用スタンド装置の確実な組み付けが行い得る。
【００２４】
更にまた請求項７記載の発明によれば、支柱本体の設置にあたっては、接地盤と支柱受杆を具えた台座本体を用いるものであり、これに支柱本体の支柱軸を嵌め込むだけの作業で組み立てを行うことができる。
【００２５】
更にまた請求項８記載の発明によれば、設置位置が傾斜していたり、平坦ではない場合には設置手段として、支柱本体の中心に設置杭を打ち込むものであり、傾斜地等であっても常に垂直状態を保った袋詰め作業用スタンド装置の設置が行い得る。
【００２６】
更にまた請求項９記載の発明によれば、抜け止め索を設けており、袋詰め作業用スタンド装置の台座本体と支柱本体とが緩連結され、支柱本体を保持して移動させる場合等であっても台座本体が外れるようなことがなく、円滑な移動ができる。
【００２７】
更にまた請求項１０記載の発明によれば、アーム受部は１段または多段に配置できるので、袋保持体の設置形態のバリエーション及び設置数を適宜選択し得る。
【００２８】
更にまた請求項１１記載の発明によれば、アーム受部はアーム受部ごとに幾分か段差を持たせて配置するものであるから、隣り合う袋保持体が干渉しないように配置することができ、また資材袋の大きさに応じて袋掛けアームの設置高さを設定することができる。
【００２９】
更にまた請求項１２記載の発明によれば、袋保持体は複数の袋掛けアームを具えるものであり、例えば農作物の収穫等に用いた場合、農作物の大きさ、等級等を収穫の段階で選択的に分けて収納することができる。
【００３０】
更にまた請求項１３記載の発明によれば、袋掛けアームは平面視コ字状であって、手前側が開放している形態を採るから、資材袋を袋掛けアームにセットする場合、あるいはその後袋詰めが完了した資材袋を取り外す場合の作業性が優れる。また特に平面視コ字状とすることにより、コーナー部において資材袋上部を裏返し状にめくり返して掛止させる場合、その掛止状態が確実なものとされる。
【００３１】
更にまた請求項１４記載の発明によれば、資材袋が袋掛けアームに取り付けられた場合に、その開口幅が汎用のスコップ幅より大きい状態とされ、充填材の投入作業が円滑になされる。
【００３２】
更にまた請求項１５記載の発明によれば、支柱本体上方にユティリティーボックスが具えられ、ここに資材袋や作業にあたって必要となる軍手等適宜の資材を収納しておくことができ、その作業性が優れる。
【図面の簡単な説明】
【００３３】
【図１】本発明に係る資材袋の袋詰め作業用スタンド装置の使用状態を示す斜視図である。
【図２】同上装置の分解斜視図である。
【図３】同上装置の正面図である。
【図４】同上装置の一部拡大平面図である。
【図５】同上装置における袋保持体の種々の形態を示す斜視図である。
【図６】同上装置における支柱本体と袋保持体との間の組付構造を示す斜視図である。
【図７】同上装置における袋掛けアームへの資材袋の着脱状態を順次示す斜視図である。
【図８】同上装置における支柱設置手段の他の実施例を示す側面図である。
【図９】同上装置における支柱本体のアーム受部についての種々の形態を示す正面図である。
【図１０】同上装置における袋保持体について、複数の袋掛けアームを形成した実施例を示す斜視図である。
【図１１】同上装置におけるアーム受片と組付片との種々の形態を示す斜視図である。
【図１２】同上装置におけるアーム受片と組付片とにおける上方差込構造の他の形態を示す斜視図である。
【発明を実施するための形態】
【００３４】
本発明を実施するための形態は、以下述べる実施例をその一つとするとともに、この技術思想に基づく種々の改良した形態をも含むものである。
【実施例】
【００３５】
以下、本発明を図示の実施例に基づいて具体的に説明する。
図１において本発明の資材袋の袋詰め作業用スタンド装置（以下スタンド装置Ｓと省略して説明することもある）の使用状態並びにその構成概略を示すものである。まず本発明のスタンド装置Ｓは作業場所に定置するための支柱設置手段１を具えた支柱本体２並びにこの支柱本体２に掛止組付自在とされる袋保持体３とを具える。支柱本体２は、このものにおける支柱軸２０の外周部に平面視で放射状に分散配置される複数のアーム受片２２の組から成るアーム受部２１を具え、一方袋保持体３は、ほぼ水平配置される枠状の袋掛けアーム３０と、この袋掛けアーム３０と一体であって、前記支柱本体２におけるアーム受片２２に掛止組み付けされる組付片３２とを具えて成る。この支柱本体２と袋保持体３との組付構造Ｊは、前記アーム受片２２に対し組付片３２を上方から差し込んで組み付ける上方差込構造を採る。そして袋掛けアームに対し資材袋５の開口部を開口状態に維持して掛止させ、その状態で充填材６をスコップ７等によって充填する。
【００３６】
以下これら各部材について詳細に説明する。まず支柱本体２を定置するための支柱設置手段１について更に詳しく説明する。図１〜図４に示す実施例では支柱本体２を下方で支えるような台座本体１０を支柱設置手段１とする。すなわち台座本体１０は一例として矩形枠状に構成した接地盤１１に対し、その中央部にパイプ状の支柱受杆１２を形成したものである。この実施例では支柱受杆１２は前記支柱本体２の支柱軸２０を内嵌めできるような内径を有している。もちろん支柱本体２における支柱軸２０が中空状の場合、支柱受杆１２は支柱軸２０に内嵌めされる心棒状の構成としてももちろん差し支えない。
更にこの支柱受杆１２の途中には抜け止め索１３を設けるものであり、一例としてこのものはリング状チェーンを適用する。もちろん適宜の縒線状のワイヤ等であってももとより差し支えない。そしてこの抜け止め索１３の端部近くには抜け止めフック１４を設ける。このものは後述するように支柱本体２と支柱設置手段１とを緩連結させるためのものである。
【００３７】
次に支柱本体２について説明する。支柱本体２は一例として中空状の円パイプを適用した支柱軸２０を主要部材とし、その周囲にアーム受部２１が形成される。このアーム受部２１は複数のアーム受片２２の組み合わせより成るものであって、支柱軸２０に対し前記アーム受片２２が放射状に一例として４基配列されている。この実施例では支柱軸２０に対し、その周囲に設けられるアーム受片２２は、一例として角パイプを適用するものであり、後述する袋保持体３との組付構造Ｊにおける種々の機能をこれによって奏するように構成されている。なお最も基本的な実施例では、各アーム受部２１においてアーム受片２２は支持高さをすべて同じ高さに構成している。なおこのアーム受片２２及びアーム受部２１の更に他のバリエーションについては、後述する。更にこのアーム受片２２の部位を利用して、一例としてそれらの外周部を結ぶように掛止環部２３が設けられる。この掛止環部２３に対し、前述の抜け止め索１３における抜け止めフック１４を掛止させることにより、支柱本体２を把持してスタンド装置Ｓを移動させるような場合、支柱設置手段１たる台座本体１０が抜け落ちないようにすることができる。
【００３８】
次にこの支柱本体２に組み合わせられる袋保持体３について説明する。この袋保持体３は、平面視コ字状の袋掛けアーム３０を主要な作用部材とするものであり、構成素材としては角パイプとアングル材とを一例として複合的に適用する。このコ字状の枠形状を有する袋掛けアーム３０は、図１〜１１に示すようにアングル材を適用され、その開放部は外側に向かって形成される。一方、袋掛けアーム３０の開放部の反対側の部位からは張出部３１を介してその端部に組付片３２が設けられる。この張出部３１及び組付片３２については、一例として角パイプにより構成されている。なお前記袋掛けアーム３０についても図１２に示すように同様の角パイプにより構成してもよい。更に袋保持体３の形態によっては、この張出部３１が具えられずに、図５（ａ）に示すように、袋掛けアーム３０に組付片３２が直接接続されるような形態を採ることも可能である。なお袋保持体３については、すべて同一形態の形状であってもよいし、相互に接近し合った場合、干渉することを回避するために図５（ｂ）（ｃ）に実線と仮装線とで示すように張出部３１を異なった寸法、形状のものとしたり、あるいは袋掛けアーム３０の全体寸法を異ならせるような形態とすることももとより差し支えない。
【００３９】
そしてこの袋保持体３と、支柱本体２との組付構造Ｊは、以下に述べる種々の機能、形態を呈する構造を具える。まず前記組付片３２とアーム受片２２とは前述のとおりそれぞれ角パイプが適用され、アーム受片２２に対し下方に延びる組付片３２を上方から差し込むような組付形態を採る。これを特許請求の範囲、請求項１において定義する上方差込構造Ｊ１という。なお上方差し込みが可能であればこのような形態に限定されない。それらの変形例については後述する。またこの角パイプを適用した支柱本体２におけるアーム受片２２と、袋保持体３における組付片３２との関係においては、角パイプの嵌め合いによる組付構造Ｊにより、特許請求の範囲請求項２にいう姿勢維持構造Ｊ２が実現される。すなわちこの姿勢維持構造Ｊ２とは、支柱２に対し組み付けられた袋保持体３の向きが、常に一定方向に規制されている構造をいう。因みに円パイプによる嵌込構造の場合には、支柱本体２に対し袋保持体３が回転し易く、組付姿勢が安定しない。
【００４０】
更にアーム受片２２と袋保持体３、特に組付片３２との間の組付構造Ｊにおいて、特許請求の範囲請求項３に示すような組付支援手段Ｊ３が採用されている。具体的には図６に示すように支柱本体２におけるアーム受片２２に対し、その部位に組み合わせることが適切な袋保持体３については、少なくとも組付片３２の部位とアーム受片２２の部位を同じ色に塗り分けるようにしている。この実施例では袋保持体３全体を例えば視認し易いように、赤色あるいは黄色等に塗り分け、その袋保持体３が収められるアーム受片２２については、同じ色の彩色を施しておくものである。この塗り分けについては図６において、図面参照し易いようにハッチを施し、第１の色付けＣ１と表示し、一方ドットを施し、第２の色付けＣ２と表示している。なおこのような組付支援手段Ｊ３については、すべての袋保持体３の形状が共通してどのアーム受片２２を選択したとしても組み付けが可能である図１〜４に示す実施例のような場合には必要としない。なおこの組付支援手段Ｊ３についてはこのような色分けのほか、後に具体的に例示するようにアーム受片２２と組付片３２との組付形態の違い、あるいは嵌込寸法の違い等が認識できるようにして、混乱状態の非常時における土嚢詰込作業等にも対応できるようにしてもよい。
【００４１】
更に支柱本体２の上方には一例として円形トレー状のユティリティーボックス４を設ける。このものは支柱本体２に外嵌めできるような嵌込部４１を底板４０に具え、その内側を収納部とし、その外周にには操作用の握り孔４２を設ける。このユティリティーボックス４が具えられているときには、例えば土嚢袋等の資材袋５を折り畳み状に多数収納しておき、使用された都度そこから資材袋５を取り出して、袋保持体３における袋掛けアーム３０にセットして用いるようにするなど、適宜の利用手法が採り得る。なおユティリティーボックス４の取付構造としては、前記したようにスリーブ状の嵌込部４１のほか、図３（ｂ）に併せ示すようにユティリティーボックス４の底板４０の中心に単に差込孔４０ａを開け、支柱軸２０に嵌め込み、底板４０を袋保持体３で支えるような取付構造を採ってもよい。
【００４２】
本発明のスタンド装置Ｓの各構成部材は以上述べたような構造を具えるものであり、これを組み立てる手順、及びこのスタンド装置Ｓを用いて充填材６を充填する作業について更に説明する。
まずスタンド装置Ｓの各構成部材や資材袋５等は、平常時には例えば資材袋５が土嚢である場合、地域の防災拠点等に格納されており、必要となった場合にはこれを適宜車両や人手により取り出して必要とされる作業現場近くで組み立て使用する。まず支柱設置手段１を適宜の作業現場におき、これに支柱本体２を支持させる。具体的には台座本体１０における支柱受杆１２に対し、支柱本体２を上方から差し込むだけの作業である。なおこの際、抜け止め索１３の抜け止めフック１４を支柱本体２における掛止環部に掛止させておく。次いで支柱本体２における各アーム受片２２に対し、袋保持体３を組み付けるものであり、袋保持体３における組付片３２を例えば各パイプ状のアーム受片２２に対し上方から差し込むようにする。この際、袋保持体３の塗色とアーム受片２２の塗色とを一致させて、袋保持体３を組み付けるようにする。このようにしたときには、例えば隣り合う袋掛けアーム３０が互いに干渉してしまうようなことが防止される。更に必要に応じてユティリティーボックス４を支柱本体２の上方から差し込むようにして設置する。このように支柱設置手段１と支柱本体２、袋保持体３、ユティリティーボックス４の組み立ては単純に上方から差し込むようにした上方差込構造Ｊ１であることから、ボルト、ナット等を必要とせず、このため格別工具等を用いなくとも簡単にその組み立てが完了する。
【００４３】
このようにした後、資材袋５を袋保持体３に掛止させる。具体的には袋本体５０上方の開口部５１を袋掛けアーム３０の上面を通って内側から外側にめくり返すようにして掛止させる。通常このような状態で袋掛けアーム３０には実作業上、問題のない掛止が可能となる。この掛止状態において資材袋５は、その底部が地面に接する状態としておくことが袋掛けアーム３０への負荷の軽減や、充填済みの資材袋５の取り出しの負担軽減の点でも好ましい。なおこのとき資材袋５に対し、閉じ紐５２が具えられているときには、必要に応じてその閉じ紐の締め込み加減を調整してもよい。因みに土嚢等の資材袋５の場合、多くは袋掛けアーム３０に対しめくり返しにより掛止状態を維持できるが、例えば自治体等で指定する透明樹脂製のゴミ袋等の場合、めくり返しのみでは掛止状態が安定しない場合もある。このため袋掛けアーム３０の基部寄りに図７（ａ）中、仮想線で示すような袋掛けフック３０ｆを設けてもよい。なおこの袋掛けフック３０ｆは、上向きの単なるピン状部材であるが、横向き、下向きのピン状としてもよいし、更にはピン状ではなくＬ字状等の形状としてもよい。また袋掛けフック３０ｆを設けない場合、ピンチ、クリップ等でゴミ袋等の口部分を留めてもよいが、この場合、ピンチ、クリップ等は上方のユティリティーボックス４に納めておくことができる。
【００４４】
このように袋掛けアーム３０にそれぞれ資材袋５を掛止させた後、上部開口から充填材６の一例である例えば土砂をスコップ７等によって充填してゆく。もちろん土砂だけでなく、他の一般の廃資材等を収納することもできる。この際、前記袋掛けアーム３０の開口幅はスコップ７の一般仕様の幅ｗ（いくつかサイズがあるが、一般的に普及しているものは、２００〜２８０ｍｍ程度である）より大きいことが望ましい。これによって土砂等の充填材６等を外部へこぼすことがなく、充填作業が極めて円滑に行い得る。このような作業により充填材６を資材袋５に充填した後には、資材袋５の開口部５１における掛止状態を解除して開口部５１をめくり戻すようにして袋掛けアーム３０から外す。このとき充填材６が充填された資材袋５は袋掛けアーム３０の手前側が開放された形状であり、重くなった資材袋５であっても上方に持ち上げることなく、水平に引き出すことができ、その作業労力を過大にしない。その後、資材袋５の閉じ紐５２を利用してその開口部５１を封緘し、適宜の個所に移動させる。このような作業が完了した後、空いた袋掛けアーム３０に対しては新たな資材袋５を掛止させる。この場合、例えばユティリティーボックス４に対し、資材袋５がストックされている場合には、そこから資材袋５を取り出し、先に述べた手法で開口部５１を袋掛けアーム３０にめくり掛けるようにして掛止させ、次の作業に具える。なお当然ながらこれらの作業は、一基のスタンド装置Ｓ当たり例えば４人の同時作業が可能である。
【００４５】
〔他の実施例〕
本発明のスタンド装置Ｓの基本的な形態は以上述べたとおりであって、更に次のような種々の変形例が本発明の技術思想に含まれる。
（１）支柱設置手段の変形例
支柱設置手段１は、すでに述べた基本の実施例では、台座本体１０を用いたものであるが、このような台座本体１０を用いずに、図８に示すように設置杭１５を用いてスタンド装置Ｓを設置することが可能である。具体的には一本のシンプルな金属製杭の下端部を尖らせた設置杭１５を支柱本体２におけるパイプ状の支持軸２０の軸孔２０ａ内に差し込み、これをカケヤ等で打ち込んで、支柱本体２を所望の位置に設置する。このような構成は例えば図８（ａ）に示すように幾分か作業現場が傾斜しているような場合であっても支柱本体２は垂直状態を維持するような設置が可能であり、好ましい支柱設置手段１の形態である。
【００４６】
もちろん、この設置杭１５については、図８（ｂ）に示すように台座本体１０を用いた支柱設置手段１に併用するような形で用いることができる。台座本体１０における支柱受杆１２の下端部が開放されているような場合、支柱軸２０の軸孔２０ａに設置杭１５を打ち込み、台座本体１０と併せてその設置を確実にする。更に支柱本体２には特許請求の範囲において「作業場所に定置するための支柱設置手段１を具えた支柱本体」と記載したように支柱本体２は台座本体１０や設置杭１５のように、支柱本体２とは別体の支柱設置手段１を具えるほか、図８（ｃ）に示すように支柱本体２の支柱軸２０の下端部を尖らせたような状態とし、これを打込端とし、支柱本体２自体を直接現場地盤等に打ち込むようにすることももとより差し支えない。
【００４７】
（２）支柱本体の変形例
支柱本体２についても先に述べた打込端２０ｂのような変形例もあるが、更にアーム受部２１に関し種々の形態が採り得る。すでに述べたアーム受部２１は四方に平面視放射配置されるアーム受片２２を設けた組を一段のみ形成しているが、アーム受部２１については、図９（ａ）に示すように支柱軸２０に対し上下２段に亘るような設置が可能である。このような場合、袋保持体３の組付位置を変えることができ、資材袋５の寸法等に応じた袋保持体３、及びその構成要素である袋掛けアーム３０の位置を調整し得るものである。またアーム受部２１については、各段においてアーム受片２２を同一高さに設定するほか、幾分かその支持位置を上下に変更させることも可能である。例えば図９（ｂ）に示すものは、対向するアーム受片２２を同一高さとし、他の直交する面の対のアーム受片２２はそれより高い位置に設定する等の形態である。もちろん、対向するアーム受片２２ごとに設定高さを変えるほか、図９（ｃ）に示すように順番に螺旋状に高さが上昇してゆくような配置であってもよい。更にまた図９（ｄ）に示す実施例は、アーム受部２１を支柱軸２０とは独立させてユニット化した例である。すなわちアーム受部２１は中央スリーブ２５に対し、その四周にアーム受片２２を設けたものであり、中央スリーブ２５を支柱軸２０に外嵌めし、支柱軸２０に多段に設けた設定孔２０ｐを利用し、適宜の高さに中央スリーブ２５のピン孔２５ｐを合わせて、セットピン２６を挿し込み固定できるようにしたものである。
【００４８】
（３）袋保持体の変形例
更に袋保持体３についても１基の袋保持体３に対し一つの袋掛けアーム３０が形成されていたが、場合によっては図１０に示すように１基の袋保持体３に対し袋掛けアーム３０を複数基併設するようなものであってもよい。このような形態が有効なのは例えば農作物を収容する場合、そのサイズ、等級に応じて収穫時に仕分けながら資材袋５に収容してゆくような場合等に好ましいものである。なおこのような形態では、実際上多くの場合、 例えばアーム受片２２がアーム受部２１において放射状に４基設けられているとしても、背中合わせ状の一対のアーム受片２２が用いられる。
【００４９】
（４）組付構造の種々の実施例
以上述べた形態は支柱設置手段１、支柱本体２、袋保持体３における種々の形態であるが、支柱本体２と袋保持体３との組付構造Ｊにおいて、種々の形態が採り得る。まず組付構造Ｊとしては、特許請求の範囲請求項１において記載したように、上方差込構造Ｊ１の構造を採る。先に述べた実施例は支柱本体２におけるアーム受片２２を角筒状とし、ここに袋保持体３における同じく角筒状の小サイズの組付片３２を内嵌めするようにして上方組み付けをできるようにしている。しかしながら支柱本体２におけるアーム受片２２と袋保持体３の組付片３２の組付構造Ｊはこのような形態に限らない。まず上方差込構造Ｊ１としては、図１１（ａ）に示すように例えば支柱本体２のアーム受部２１を構成するアーム受け片２２をＬ字状に屈曲した棒状部材で構成し、これに外嵌めされるようなパイプ状の組付片３２を外嵌めするようにしてもよい。
【００５０】
またこの逆に図１１（ｂ）に併せ示すように角パイプ状ではなく、円パイプ状の部材でアーム受部２１を構成し、ここに丸棒状の組付片３２を上方から差し込むように構成してもよい。このような場合、当然姿勢維持構造Ｊ２としては、そのままの構成ではその目的が達成し得ないから、例えば図１１（ａ）に示す組付片３２を棒状のアーム受片２２に組み付けることを想定すると、例えば袋保持体３における組付片３２の下端部に、棒状のアーム受片２２の下端部に噛み合うような切欠３２ａを設けるようにする。
【００５１】
一方、アーム受片２２を円パイプ状で構成したときには、例えば図１１（ｂ）に示すようにその上端部を一部凹陥状に切り欠いたり、図１１（ｃ）に示すように斜めに切り欠くような形態とすることができる。更に図１１（ｃ）のように斜めに切り欠いた例の場合、棒状の組付片３２の差込方向が多少斜めになったとしても入れ易く、且つ内嵌めした後にはその姿勢が一定方向に維持されることとなる。またこのような構成に関しては一カ所のアーム受部２１についてすべて同一の形態を採ってもよいし、一カ所のアーム受部２１において図１１（ｄ）に示すように棒状のアーム受片２２とパイプ状のアーム受片２２とが混在したような形態としてもよい。
【００５２】
なおこのようにした場合、支柱本体２へ袋保持体３を組み付けるにあたり、明確にその違いが認識できるものであり、このような構成自体も組付支援手段Ｊ３として機能している。更にアーム受片２２と組付片３２との間では、上方差込構造Ｊ１がフック状の組付手段Ｊであってもよい。例えば図１２に示すものは、上方に短寸のＬ字状のフックタイプのアーム受片２２を設け、一方、袋保持体３における組付片３２としては、それに外嵌めされるような外嵌片３２ｂを設け、その下方に姿勢維持のための押さえガイド片３２ｃを設けるようにしてもよい。このような構成であっても上方差込構造Ｊ１が得られる。
【００５３】
〔その他の使用例〕
本発明は以上述べたように資材袋５としては種々のものが適用でき、必要とされる作業現場において種々の作業がし得る。例えばすでに述べたような土嚢等の土砂の充填作業のほか、農作物の収穫作業、廃棄資材ないしは瓦礫等の収納作業等がなし得る。もちろん一般家庭等において、ゴミの分別回収等を行う場合にも、本発明は極めて有用である。
【符号の説明】
【００５４】
１      支柱設置手段
１０    台座本体
１１    接地盤
１２    支柱受杆
１３    抜け止め索
１４    抜け止めフック
１５    設置杭
２      支柱本体
２０    支柱軸
２０ａ  軸孔
２０ｂ  打込端
２０ｐ  設定孔
２１    アーム受部
２２    アーム受片
２３    掛止環部
２５    中央スリーブ
２５ｐ  ピン孔
２６    セットピン
３      袋保持体
３０    袋掛けアーム
３０ｆ  袋掛けフック
３１    張出部
３２    組付片
３２ａ  切欠
３２ｂ  外嵌片
３２ｃ  押さえガイド片
４      ユティリティーボックス
４０    底板
４０ａ  差込孔
４１    嵌込部
４２    握り孔
５      資材袋
５０    袋本体
５１    開口部
５２    閉じ紐
６      充填材
７      スコップ
ｗ      スコップ幅
Ｓ      スタンド装置
Ｊ      組付構造
Ｊ１    上方差込構造
Ｊ２    姿勢維持構造
Ｊ３    組付支援手段
Ｃ１    第１の色付け
Ｃ２    第２の色付け
【図１】
2014088186.tif 000003
【図２】
2014088186.tif 000004
【図３】
2014088186.tif 000005
【図４】
2014088186.tif 000006
【図５】
2014088186.tif 000007
【図６】
2014088186.tif 000008
【図７】
2014088186.tif 000009
【図８】
2014088186.tif 000010
【図９】
2014088186.tif 000011
【図１０】
2014088186.tif 000012
【図１１】
2014088186.tif 000013
【図１２】
2014088186.tif 000014